(57)【要約】      （修正有）【課題】ねじ式として組立も比較的簡単にでき、且回転操作という簡単な作業により印面の向きを変えずに印鑑を出没させることができ、更に不使用時には不用意に印面が露呈しないようにして衣服などを汚すことの無いようにする。【解決手段】先端開口に、バネを介して蝶着し該先端開口を開閉自在とするキャップを設けた先軸部と、該先軸部の後部細胴部に回転自在に嵌合する後軸部と、該後軸部に天冠を介して固定し後軸部の内側に挿設される回転軸筒と、天冠に取り付けられたスライダーを介し先端部に印鑑具を装填し回転軸筒内に挿設されたネームホルダーと、先軸部と後軸部操作による回転軸筒の回転運動をネームホルダーの直線運動に変換し、印鑑具をバネに抗しキャップを押し出して先端開口より印面を露呈自在とし、更にキャップの基端部にロック部を設けた。【選択図】図１
2006167931.tif 000002
【特許請求の範囲】
【請求項１】
先端開口に、バネを介して蝶着し該先端開口を開閉自在とするキャップを設けた先軸部と、該先軸部の後部細胴部に回転自在に嵌合する後軸部と、該後軸部に天冠を介して固定し後軸部の内側に挿設される回転軸筒と、天冠に取り付けられたスライダーを介し先端部に印鑑具を装填し回転軸筒内に挿設されたネームホルダーと、先軸部と後軸部操作による回転運動をネームホルダーの直線運動に変換し、印鑑具をバネに抗しキャップを押し出して先端開口より印面を露呈自在とした印鑑装置。
【請求項２】
キャップの外周縁が先端開口の縁より飛び出さないようにした請求項１記載の印鑑装置。
【請求項３】
キャップの基端部にロック部を設けると共に先軸部と後軸部の引き込み回転操作により印鑑具の引き込み時の最終点において前記ロック部にロック棒の先端を侵入自在とした請求項１、２記載の印鑑装置。
【発明の詳細な説明】
【技術分野】
【０００１】
本発明は軸部を伸縮させることなくねじ式によって印鑑の印面を軸部の先端より出没自在とする印鑑装置に関する。
【背景技術】
【０００２】
従来印鑑装置としては、軸部分を両手で持ってキャップを外して押捺するものとか、所定紙面への押圧作業と共に印面を露呈させ押捺するもの等がある。
【０００３】
これらの場合キャップの取り外し作業が煩わしかったり、紛失する恐れがあり、又押圧作業と共に印面を露呈させるものにあっては印面のインクが他に付着する恐れがあり、又紙面を汚すなどの欠点がある。
【発明の開示】
【発明が解決しようとする課題】
【０００４】
そこで本発明は、ねじ式として組立も比較的簡単にでき、且回転操作という簡単な作業により印面の向きを変えずに印鑑を出没させることができ、更に不使用時には不用意に印面が露呈しないようにして衣服などを汚すことの無いようにしたものである。
【課題を解決するための手段】
【０００５】
先端開口に、バネを介して蝶着し該先端開口を開閉自在とするキャップを設けた先軸部と、該先軸部の後部細胴部に回転自在に嵌合する後軸部と、該後軸部に天冠を介して固定し後軸部の内側に挿設される回転軸筒と、天冠に取り付けられたスライダーを介し先端部に印鑑具を装填し回転軸筒内に挿設されたネームホルダーと、先軸部と後軸部操作による回転軸筒の回転運動をネームホルダーの直線運動に変換し、印鑑具をバネに抗しキャップを押し出して先端開口より印面を露呈自在とし、更にキャップの外周縁が先端開口の縁より飛び出さないようにしたり、キャップの基端部にロック部を設けると共に先軸部と後軸部の引き込み回転操作により印鑑具の引き込み時の最終点において前記ロック部にロック棒の先端を侵入自在とした印鑑装置である。
【発明の効果】
【０００６】
本発明の効果として、ネジ式として組み立てが簡単で、先軸部と後軸部の回転操作という簡単な作業により印面の向きを変えずに印鑑を出没させることができ、更に不使用時には不用意にキャップが開くことが無く衣服などを汚すことが無い。又ロック部へのロック棒の侵入により不使用時においては先軸部と後軸部の回転操作がない限りキャップが開くことなく衣服などへの汚れを完全に防止することが出来る。
【実施例】
【０００７】
先端開口１の取付部１’に、バネ２を介してピン軸３により蝶着し、該先端開口１を開閉自在とするキャップ４を設けた先軸部５と、該先軸部５の後部細胴部６に回転自在に嵌合する後軸部７と、該後軸部７に天冠８を介して固定し後軸部７の内側に挿設される回転軸筒９と、天冠８に取り付けられたスライダー１０を介し先端部に印鑑具１１を装填し回転軸筒９内に挿設されたネームホルダー１２と、先軸部５と後軸部７の操作による回転軸筒９の回転運動をネームホルダー１２の直線運動に変換して印鑑具１１をバネ２に抗してキャップ４より押し出し、印面１１’を先端開口１より露呈自在としたものである。
【０００８】
スライダー１０の後端は天冠８の内端に掛止され、スライダー１０の先端はネームホルダー１２の後端部に掛止し、該ホルダー１２がスライダー１０の表面を前後動するように取り付けられている、同時に先軸部５の内側には軸線方向のスライド溝２２が設けてあって、ネームホルダー１２に設けたスライド突起１７が嵌合し、ネームホルダー１２は回転することなく前後にのみ移動するようになっている。
【０００９】
天冠８に取付けられた回転軸筒９の掛止部９’は先軸部５に掛止する抜け止めリング１３に掛止していて、回転軸筒９、後軸部７は回転するだけで前後への移動はしないようになっている。
【００１０】
回転軸筒９の先端部内側にはコマ１４が突設してあり、一方ネームホルダー１２の後部表面には駆動ネジ溝１５を設け、該駆動ネジ溝１５の前後の終端にはネームホルダー１２の軸線に略直角のロック溝１６、１６’を連設してあって、これらねじ溝１５、ロック溝１６、１６’に前記コマ４が嵌合して走行自在となっている。
【００１１】
更に図７、８のように、キャップ４の外周縁４’が先端開口１の縁より飛び出さないようにすることにより、外周縁４’が衣服などに引っ掛かることなく不用意にキャップ４が開くことが無い。
【００１２】
加えて図９〜１４図のように、キャップ４の内側基端部にロック部１８を設けると共に該ロック部１８に対応するロック棒１９をロックバネ２０を介して先軸部５の内側に装填し、ロック棒の先端はキャップ４の閉じたときにロック部１８に侵入自在とし、ロック棒１９の基端は後軸部７の内側に設けたすべり段差２１に接触していて後軸部７の右回転(印鑑具の引き込み回転操作。)の最終点(前方のロック溝１６にコマ１４が位置するとき。)においてすべり段差２１にロック棒が押されて前記ロック部１８にロック棒１９の先端が侵入し、ロック棒１９とロック部１８が外れない限り、キャップ４は開かないようにすると一層安全である。
【作用】
【００１３】
本発明は以上のように具現されるもので、図１の印鑑具１１の収納時から印面１１’を露呈させるには、後軸部７を左回転させることによりコマ１４は前方のロック溝１６から外れ、駆動ねじ溝１５を移動し後方のロック溝１６’に嵌合する、同時に移動につれてネームホルダー１２は前進し、キャップ４はバネ２に抗して回動し印面１１’は向きを変えずに露呈され、押捺作業ができ、不用意に引っ込んだりすることが無い。
【００１４】
印面１１’の露呈時から印鑑具１１を収納するには前記操作と逆の回転をさせればよい。即ち後軸部７を右回転させることによりコマ１４は後方のロック溝１６’から外れ、駆動ねじ溝１５を移動し前方のロック溝１６に嵌合する、同時に移動につれてネームホルダー１２は後退し、キャップ４はバネ２に押されて回動し、印鑑具１１は先軸部５内に収納される。
【００１５】
キャップ４の外周縁４’が先端開口２の縁より飛び出さないようにすることにより、印鑑具１１の収納時にはキャップ４の外周縁４’が先端開口２の縁内に収まり、外周縁４’が衣服などに引っ掛かることなく不用意にキャップ４が開くことが無い。
【００１６】
加えてキャップ４の内側基端部にロック部１８を設けると共に該ロック部１８に対応するロック棒１９をロックバネ２０を介して先軸部５の内側に装填し、ロック棒の先端はキャップ４の閉じたときにロック部１８に侵入自在とし、ロック棒１９の基端は後軸部７の内側に設けたすべり段差２１に接触していて後軸部７の右回転(印鑑具の引き込み回転操作。)の最終点(前方のロック溝１６にコマ１４が位置するとき。)においてすべり段差２１にロック棒１９が押されて前記ロック部１８にロック棒１９の先端が侵入し、ロック棒１９とロック部１８が外れない限り、キャップ４は開かないようにすると一層安全となる。
【図面の簡単な説明】
【００１７】
【図１】本発明に係る印鑑装置の印鑑具収納時の断面説明図
【図２】同印鑑装置の印鑑具突出時の断面説明図
【図３】ネームホルダーの正面説明図
【図４】同背面説明図
【図５】図３の横断説明図
【図６】回転軸筒の断面説明図
【図７】キャップの外周縁が先端開口の縁より飛び出さないようにした印鑑装置の印鑑具収納時の断面説明図
【図８】同印鑑具突出時の断面説明図
【図９】ロック棒、ロック部を設けた印鑑装置の突出時の断面説明図
【図１０】同印鑑具収納時の未ロック時の断面説明図
【図１１】同ロック時の断面説明図
【図１２】すべり段差を示した後軸部の断面説明図
【図１３】ロック棒等を設けた場合の先軸部の斜視図
【図１４】同縦断説明図
【図１５】ロック棒の未ロック時の正面説明図
【図１６】ロック棒のロック時の正面説明図
【符号の説明】
【００１８】
１：先端開口
１’：取付部
２：バネ
４： キャップ
４’：外周縁
５：先軸部
６：後部細胴部 
７：後軸部
８：天冠
９：回転軸筒
１０：スライダー
１１：印鑑具
１１'：印面
１２：ネームホルダー
１３：抜け止めリング
１４：コマ
１５：駆動ネジ溝
１６，１６’：ロック溝
１７：スライド突起
１８：ロック部
１９：ロック棒
２０：ロックバネ
２１：すべり段差
２２：スライド溝
【図１】
2006167931.tif 000003
【図２】
2006167931.tif 000004
【図３】
2006167931.tif 000005
【図４】
2006167931.tif 000006
【図５】
2006167931.tif 000007
【図６】
2006167931.tif 000008
【図７】
2006167931.tif 000009
【図８】
2006167931.tif 000010
【図９】
2006167931.tif 000011
【図１０】
2006167931.tif 000012
【図１１】
2006167931.tif 000013
【図１２】
2006167931.tif 000014
【図１３】
2006167931.tif 000015
【図１４】
2006167931.tif 000016
【図１５】
2006167931.tif 000017
【図１６】
2006167931.tif 000018